(57)【特許請求の範囲】
【請求項１】
上部に鍔部と外周に螺刻部を設けたハウジング内にレバーの傾動動作を検知する検知手段を配設するとともに前記ハウジングの外周にホルダを取り付け前記鍔部で保持し、前記ハウジングの下方からナットにより前記螺刻部を螺合することにより形成したスイッチ本体とレバー及び該レバーを支持する金属からなる操作軸を前記ハウジングに配設したレバースイッチにおいて、前記操作軸の前記ハウジングとの当接部を覆うようにプラスチック樹脂からなるスリーブを配設するとともに前記操作軸と前記スリーブ間に弾性部材を配設し、前記ナットと前記ハウジングの螺刻部との間にゴム座金を介在することを特徴としたレバースイッチ。
【発明の詳細な説明】
【技術分野】
【０００１】
本発明は、レバーの操作軸を挿通するように弾性部材を配設し、さらに該弾性部材を覆うようにスリーブを配設することにより前記レバー操作時に前記弾性部材の破損を防止し、さらにハウジングとホルダを固定するために、前記ハウジング外周の螺刻部に螺合していたナットにゴム座金を介在させることにより前記レバー操作時の衝撃を緩和することができるレバースイッチに関するものである。
【背景技術】
【０００２】
従来のレバースイッチはハウジングからなるスイッチ本体と、前記ハウジング内側から外側に向けて貫通する操作軸と、該操作軸に傾動軸部を設けて前記ハウジングに傾動可能に軸支するとともに前記操作軸の傾動操作を検知する検知手段を前記スイッチ本体内に内蔵し、しかも前記操作軸のハウジング外側端部近傍に操作部を回動自在に係止していた。
【特許文献１】特開２００２−２０３４５７
【発明の開示】
【発明が解決しようとする課題】
【０００３】
しかしながら、上記のような従来のレバースイッチは操作軸の材質は金属であることが一般的であり、操作部を傾動させた時ハウジング外側端部に前記操作軸が直に衝突するため、この衝撃により操作寿命が短かくなったり、前記操作軸の磨耗や摺動時の粉塵が発生していた。そこで本発明は、操作軸にスリーブ、スイッチ本体にゴム座金をそれぞれ配設することにより、レバー操作時の衝撃を吸収し、かつ前記操作軸の磨耗やそれに伴う粉塵の発生を防ぎ、操作寿命を延ばすことができるレバースイッチを提供することを目的とする。
【課題を解決するための手段】
【０００４】
本発明は、上記目的を達成するために、上部に鍔部と外周に螺刻部を設けたハウジング内にレバーの傾動動作を検知する検知手段を配設するとともに前記ハウジングの外周にホルダを取り付け前記鍔部で保持し、前記ハウジングの下方からナットにより前記螺刻部を螺合することにより形成したスイッチ本体とレバー及び該レバーを支持する金属からなる操作軸を前記ハウジングに配設したレバースイッチにおいて、前記操作軸の前記ハウジングとの当接部を覆うようにプラスチック樹脂からなるスリーブを配設するとともに前記操作軸と前記スリーブ間に弾性部材を配設し、さらに前記ナットと前記ハウジングの螺刻部との間にゴム座金を介在させたため、前記レバーを操作するときの衝撃を緩和することができ、かつ前記操作軸の磨耗やそれに伴う粉塵の発生を防ぎ、操作寿命を延ばすことができる。
【発明の効果】
【０００５】
（１）本発明のレバースイッチはレバーの操作軸に弾性部材を挿通し該弾性部材をスリーブで覆い、またハウジング外周にホルダを取り付け前記ハウジング外周に設けた螺刻部にゴム座金を介してナットを螺合させて形成したためレバー操作時の衝撃を緩和することができる。
（２）レバーの操作軸に弾性部材を挿通しグリスを塗布することにより滑らかに操作することができ、さらに前記弾性部材をスリーブで覆うことにより前記グリスが表面に現れることもない。
（３）レバーの操作軸に挿通した弾性部材をスリーブで覆ったため、前記レバー操作時にハウジング外側端部に前記操作軸や前記弾性部材が直に衝突することがなく、前記操作軸の磨耗や摺動時の粉塵も発生しないため、操作寿命を長く保つことができる。
【発明を実施するための最良の形態】
【０００６】
本発明のレバースイッチは上部に鍔部と外周に螺刻部を設けたハウジング内にレバーの傾動動作を検知する検知手段を配設するとともに前記ハウジングの外周にホルダを取り付け前記鍔部で保持し、前記ハウジングの下方からナットにより前記螺刻部を螺合することにより形成したスイッチ本体とレバー及び該レバーを支持する金属からなる操作軸を前記ハウジングに配設したレバースイッチにおいて、前記操作軸の前記ハウジングとの当接部を覆うようにプラスチック樹脂からなるスリーブを配設するとともに前記操作軸と前記スリーブ間に弾性部材を配設し、さらに前記ナットと前記ハウジングの螺刻部との間にゴム座金を介在したため、前記レバーを操作するときの衝撃を緩和し、手および接続機器に衝撃が伝わりにくくなる。さらに前記弾性部材を前記スリーブで覆い前記操作軸にはグリスを塗布してあるため滑らかな操作感を得ることができ、さらに前記弾性部材が直にハウジングと衝突することもないので、操作寿命を長く保つことができる。
【実施例】
【０００７】
以下、本発明の実施例について、図面を参照しながら詳細に説明する。
【０００８】
図１は本発明のレバースイッチの分解斜視図、図２は本発明のレバースイッチの正面断面図、図３はその側面断面図である。
【０００９】
これらの図において、球状のレバー１には操作軸１ａが一体成形されており、該操作軸１ａ先端に形成された段部１ｂには、遮光板２上部の凹部２ａが圧入されている。前記操作軸１ａの下方からは前記レバー１操作時の復帰部材である弾性部材３が挿通され、該弾性部材３はスリーブ４により覆われている。
【００１０】
一方、スイッチ本体を形成するハウジング５は円柱状であり、上部に鍔部５ａ、外周には貫通孔５ｂおよび螺刻部５ｃを有している。前記鍔部５ａ略中央には前記操作軸１ａの傾動動作を案内する略楕円状の凹所５ｄが形成されている。また、傾動動作を検出する検出部分としてプリント基板９上面にフォトインタラプタ７および抵抗器８が実装され、下面にコネクタ１０が実装されている。そして、前記フォトインタラプタ７、前記抵抗器８、前記コネクタ１０が実装された前記プリント基板９を前記ハウジング５の下方より組み入れ、この組み入れ作業の後、カバー１１を前記ハウジング５に凹凸嵌着させる。
【００１１】
このように前記ハウジング５内に検知手段を配設した後、該ハウジング５上部に形成した前記凹所５ｄに前記操作軸１ａが上方より挿入され、前記操作軸１ａに連結された前記遮光板２下部の遮光軸２ｂが前記フォトインタラプタ７の略中央の溝部７ａまで挿入されたところで、前記スリーブ４下面が前記ハウジング５の凹所５ｄと当接することにより、前記レバー１の挿入がストップされ、前記操作軸１ａの貫通孔１ｃおよび前記ハウジング５外周の貫通孔５ｂが合わさり、前記ハウジング５側面よりカシメピン６が挿通され、該カシメピン６の一端を加締めて係止する。
【００１２】
最後に前記ハウジング５の外周にホルダ１２を下方より配設し前記鍔部５ａで保持し、該ホルダ１２内径と前記ハウジング５外周との間にできた空間に略円状のゴム座金１３を介してナット１４により前記螺刻部５ｃを締め付けることにより本発明のレバースイッチが完成される。
【００１３】
完成された本発明のレバースイッチを操作すると図４のように前記スリーブ４が前記ハウジング５上部の凹所５ｄ側面と衝突する。前記スリーブ４および前記ハウジング５はともにプラスチック樹脂で形成されているため金属で形成された操作軸１ａおよび弾性部材３が直に前記ハウジングの凹所５ｄ側面と衝突するよりも前記弾性部材３を保護することで操作寿命を延ばし、さらに手や接続機器に伝わる衝撃が緩和される効果がある。
【００１４】
上述したような本発明のレバースイッチにおける衝撃緩和の効果について検討するため、ゴム座金１３を配設したサンプルと配設していないサンプルの２種類を用意して衝撃測定を行った。図５は衝撃測定を行った時の試験装置の全体図、図６は図４の加速度試験装置をＡ方向から見たときの拡大図である。
衝撃測定には加速試験装置１５、加速度計１６、オシロスコープ１７の３種類を用意した。前記加速試験装置１５の試験板１８にビット１９を配設し、該ビット１９が後方からの急激なエアーにより前記試験板１８とともに前方に押し出されて固定台２１に配設されている本発明のレバースイッチのレバー１と衝突し、前記試験板１８の加速度を該加速板１８下部に配設されたセンサ２０により測定し、該センサ２０で得られた加速度データを前記加速度計１６で表示した後、該加速度計１６で加速度データを電圧に変換し、該電圧をオシロスコープ１７で表示する。該オシロスコープ１７に表示されたデータの縦軸は電圧、横軸は時間を示す。なお、電圧についてレバー１がビット１９により押し出される方向に働く加速度を電圧値に変換したものがマイナス、逆に前記レバー１に前記ビット１９が衝突し、該ビット１９が押し戻される方向に働く加速度を電圧値に変換したものがプラスとなっている。
【００１５】
図７はゴム座金１３を配設したサンプルにおけるセンサ２０が感知した加速度データである。図７よりビット１９およびセンサ２０が取り付けられた試験板１８がエアーにより加速されていきその後一定の速度となるため加速度は０付近で一定となり、図８（ａ）に示すように前記ビット１９がレバー１に接触すると前記ビット１９の加速度が低下するとともにその反動で前記ビット１９の下方に配設されていた前記センサ２０の加速度が増加するが（Ａ地点）、図８（ｂ）に示すように前記ビット１９が前記レバー１を押し出していき再度加速度が増加するため、その反動で前記センサ２０の加速度は低下していく（Ｂ地点）。最後に図８（ｃ）に示すように前記ビット１９が前記レバー１を最後まで押しきると前記スリーブ４が前記ハウジング５の凹所５ｄ側面と衝突するため、その反動による前記センサ２０の加速度は増加し（Ｃ地点）、このＣ地点における衝撃が手および接続機器に伝わる衝撃と考えられる。
【００１６】
一方、図９はゴム座金１３を配設していないサンプルにおけるセンサ２０が感知した加速度データである。図９よりビット１９およびセンサ２０が取り付けられた試験板１８がエアーにより加速されていきその後一定の速度となるため加速度は０付近で一定となり、図８（ａ）に示すように前記ビット１９がレバー１に接触すると前記ビット１９の加速度が低下するとともにその反動で前記ビット１９の下方に配設されていた前記センサ２０の加速度が増加するが（Ｐ地点）、図８（ｂ）に示すように前記ビット１９が前記レバー１を押し出していき再度加速度が増加するため、その反動で前記センサ２０の加速度は低下していく（Ｑ地点）。最後に図８（ｃ）に示すように前記ビット１９が前記レバー１を最後まで押しきると前記スリーブが前記ハウジング５の凹所５ｄ側面と衝突するため、その反動による前記センサ２０の加速度は増加し（Ｒ地点）、このＲ地点における衝撃が手および接続機器に伝わる衝撃と考えられる。
【００１７】
図７、図９を比較すると図７のゴム座金１３ありのサンプルの方が全体的に振幅が小さく、さらにレバーを最後まで押し切ったＣ地点およびＲ地点における電圧値もゴム座金１３ありのほうが−２４０ｍＶであり、ゴム座金１３なしのほうは−５０４ｍＶであったため、ゴム座金１３ありの方が手や接続機器に伝わる衝撃が小さいことが判明した。よってホルダ１２内径とハウジング５外周との間にできた空間に略円状のゴム座金１３を配設することによるレバー１操作時の衝撃吸収の効果があることが確認された。
【００１８】
本発明は上記実施例に限定されるものではなく、本発明の趣旨に基づいて種々の変形が可能である。これらを本発明の方法の範囲から排除するものではない。
【産業上の利用可能性】
【００１９】
本発明のレバースイッチは上部に鍔部と外周に螺刻部を設けたハウジング内にレバーの傾動動作を検知する検知手段を配設するとともに前記ハウジングの外周にホルダを取り付け前記鍔部で保持し、前記ハウジングの下方からナットにより前記螺刻部を螺合することにより形成したスイッチ本体とレバー及び該レバーを支持する金属からなる操作軸を前記ハウジングに配設したレバースイッチにおいて、前記操作軸の前記ハウジングとの当接部を覆うようにプラスチック樹脂からなるスリーブを配設するとともに前記操作軸と前記スリーブ間に弾性部材を配設し、さらに前記ナットと前記ハウジングの螺刻部との間にゴム座金を介在させたため、前記レバー操作時の衝撃を緩和し、手および接続機器に衝撃が伝わりにくくなる。さらに前記弾性部材にはグリスを塗布し、該弾性部材を前記スリーブで覆ったため滑らかな操作感を得ることができ、グリスが外にはみ出すこともなく、前記レバー操作時に前記弾性部材が直にハウジングと衝突することもないので、操作寿命を長く保つことができる。
【図面の簡単な説明】
【００２０】
【図１】本発明のレバースイッチの分解斜視図である。
【図２】本発明のレバースイッチの正面断面図である。
【図３】本発明のレバースイッチの側面断面図である。
【図４】本発明のレバースイッチを操作したときの正面断面図である。
【図５】衝撃測定を行った時の試験装置の全体図である。
【図６】加速度試験装置を図５におけるＡ方向から見た拡大図である。
【図７】ゴム座金を配設した本発明のレバースイッチのサンプルにおけるセンサが感知した加速度データである。
【図８】加速度試験装置におけるビットとセンサの加速状態を示した拡大図である。
【図９】ゴム座金を配設していない本発明のレバースイッチのサンプルにおけるセンサが感知した加速度データである。
【符号の説明】
【００２１】
１  レバー
１ａ  操作軸
１ｂ  段部
１ｃ、５ｂ  貫通孔
２  遮光板
２ａ  凹部
２ｂ  遮光軸
３  弾性部材
４  スリーブ
５  ハウジング
５ａ  鍔部
５ｃ  螺刻部
５ｄ  凹所
６  カシメピン
７  フォトインタラプタ
７ａ  溝部
８  抵抗器
９  プリント基板
１０  コネクタ
１１  カバー
１２  ホルダ
１３  ゴム座金
１４  ナット
１５  加速試験装置
１６  加速度計
１７  オシロスコープ
１８  試験板
１９  ビット
２０  センサ
２１  固定板
【図１】
0004588582.tif 000002
【図２】
0004588582.tif 000003
【図３】
0004588582.tif 000004
【図４】
0004588582.tif 000005
【図５】
0004588582.tif 000006
【図６】
0004588582.tif 000007
【図７】
0004588582.tif 000008
【図８】
0004588582.tif 000009
【図９】
0004588582.tif 000010